【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
ユーザ機器端末であって、
前記ユーザ機器端末と基地局との間の通信に用いる少なくとも１つの信号に適用されることになる第１の送信電力を制御するように構成された第１の電力制御モジュールであって、前記第１の送信電力は、前記基地局から受信された少なくとも１つの第１の電力制御パラメータに基づいて確定される、前記第１の電力制御モジュールと、
デバイス・ツー・デバイス・サービスに用いる少なくとも１つの信号に適用されることになる第２の送信電力を制御するように構成された第２の電力制御モジュールであって、（ｉ）デバイス・ツー・デバイス・サービスに用いる前記少なくとも１つの信号のための最大電力と、（ｉｉ）デバイス・ツー・デバイス・サービスに用いる前記少なくとも１つの信号のための周波数帯に基づく送信電力との最小値から前記第２の送信電力を確定するように構成されており、前記ユーザ機器端末は、前記基地局から受信された少なくとも１つの第２の電力制御パラメータに基づいて前記最大電力を確定するように構成されている、前記第２の電力制御モジュールと、
前記第１の送信電力を用いて前記ユーザ機器端末と前記基地局との間の通信に用いる前記少なくとも１つの信号を送信し、かつ、前記第２の送信電力を用いてデバイス・ツー・デバイス・サービスに用いる前記少なくとも１つの信号を送信するように構成された信号トランシーバ・モジュールと、
を備える、ユーザ機器端末。
【請求項２】
前記少なくとも１つの第２の電力制御パラメータは、前記少なくとも１つの第１の電力制御パラメータから独立している、請求項１に記載のユーザ機器端末。
【請求項３】
前記第２の電力制御モジュールは、１つ以上のユーザ機器パラメータに基づいて前記第２の送信電力を制御するようにさらに構成される、請求項１に記載のユーザ機器端末。
【請求項４】
前記第２の電力制御モジュールは、１つ以上の運用、管理、および保守パラメータに基づいて前記第２の送信電力を制御するようにさらに構成される、請求項１に記載のユーザ機器端末。
【請求項５】
非一時的なコンピュータ可読媒体に取り込まれた１つ以上のモジュールを実行するように構成されたプロセッサを備えるシステムであって、前記１つ以上のモジュールは、
ユーザ機器端末と基地局との間の通信に用いる少なくとも１つの信号に適用されることになる第１の送信電力を制御するように構成された第１の電力制御モジュールであって、前記第１の送信電力は、少なくとも１つの第１の電力制御パラメータに基づいて確定される、前記第１の電力制御モジュールと、
デバイス・ツー・デバイス・サービスに用いる少なくとも１つの信号に適用されることになる第２の送信電力を制御するように構成された第２の電力制御モジュールであって、（ｉ）デバイス・ツー・デバイス・サービスに用いる前記少なくとも１つの信号のための最大電力と、（ｉｉ）デバイス・ツー・デバイス・サービスに用いる前記少なくとも１つの信号のための周波数帯に基づく送信電力との最小値から前記第２の送信電力を確定するように構成されており、前記システムは、少なくとも１つの第２の電力制御パラメータに基づいて前記最大電力を確定するように構成されている、前記第２の電力制御モジュールと、
を備える、システム。
【請求項６】
前記少なくとも１つの第２の電力制御パラメータは、前記少なくとも１つの第１の電力制御パラメータから独立している、請求項５に記載のシステム。
【請求項７】
前記第２の電力制御モジュールは、１つ以上のユーザ機器パラメータに基づいて前記第２の送信電力を制御するようにさらに構成される、請求項５に記載のシステム。
【請求項８】
前記第２の電力制御モジュールは、１つ以上の運用、管理、および保守パラメータに基づいて前記第２の送信電力を制御するようにさらに構成される、請求項５に記載のシステム。
【請求項９】
基地局であって、
ユーザ機器端末と基地局との間の通信に用いる少なくとも１つの信号に適用されることになる第１の送信電力を制御するように構成された第１の電力制御モジュールであって、前記基地局は、前記基地局から前記ユーザ機器端末へ送信される少なくとも１つの第１の電力制御パラメータに基づいて前記第１の送信電力を確定する、前記第１の電力制御モジュールと、
デバイス・ツー・デバイス・サービスのために前記ユーザ機器端末によって用いられる少なくとも１つの信号に適用されることになる第２の送信電力を制御するように構成された第２の電力制御モジュールであって、（ｉ）デバイス・ツー・デバイス・サービスに用いる前記少なくとも１つの信号のための最大電力と、（ｉｉ）デバイス・ツー・デバイス・サービスに用いる前記少なくとも１つの信号のための周波数帯に基づく送信電力との最小値から前記第２の送信電力を確定するように構成されており、前記基地局は、前記基地局から前記ユーザ機器端末へ送信される少なくとも１つの第２の電力制御パラメータに基づいて前記最大電力を確定するように構成された前記第２の電力制御モジュールと、
前記少なくとも１つの第１の電力制御パラメータおよび前記少なくとも１つの前記第２の電力制御パラメータを前記ユーザ機器端末へ送信するように構成された信号トランシーバ・モジュールと
を備える、基地局。
【請求項１０】
前記少なくとも１つの第１の電力制御パラメータは、前記少なくとも１つの第２の電力制御パラメータから独立している、請求項９に記載の基地局。
【請求項１１】
ユーザ機器端末によって実行される方法であって、前記方法は、
ユーザ機器端末と基地局との間の通信に用いる少なくとも１つの信号に適用されることになる第１の送信電力であって、前記第１の送信電力は、前記基地局から受信された前記少なくとも１つの第１の電力制御パラメータに基づいて確定される第１の送信電力を制御するステップと、
デバイス・ツー・デバイス・サービスに用いる前記少なくとも１つの信号に適用されることになる第２の送信電力であって、前記第２の送信電力は、（ｉ）デバイス・ツー・デバイス・サービスに用いる前記少なくとも１つの信号のための最大電力と、（ｉｉ）デバイス・ツー・デバイス・サービスに用いる前記少なくとも１つの信号のための周波数帯に基づく送信電力との最小値から確定され、前記最大電力は、前記少なくとも１つの第１の電力制御パラメータに基づいて確定される第２の送信電力を制御するステップと、
前記ユーザ機器端末によって、前記第１の送信電力を用いて、ユーザ機器端末と基地局との間の通信に用いる少なくとも１つの信号を送信するステップと、
前記ユーザ機器端末によって、前記第２の送信電力を用いて、デバイス・ツー・デバイス・サービスに用いる前記少なくとも１つの信号を送信するステップと、
を備える、方法。
【請求項１２】
前記少なくとも１つの第２の電力制御パラメータは、前記少なくとも１つの第１の電力制御パラメータから独立している、請求項１１に記載の方法。
【請求項１３】
前記第２の送信電力は、前記基地局から受信された前記少なくとも１つの第２の電力制御パラメータに加えて、１つ以上のユーザ機器パラメータに基づいて確定される、請求項１１に記載の方法。
【請求項１４】
前記第２の送信電力は、前記基地局から受信された前記少なくとも１つの第２の電力制御パラメータに加えて、１つ以上の運用、管理、および保守パラメータに基づいて確定される、請求項１１に記載の方法。
【請求項１５】
基地局によって実行される方法であって、前記方法は、
ユーザ機器端末と基地局との間の通信に用いる少なくとも１つの信号に適用されることになる第１の送信電力であって、前記第１の送信電力は、前記基地局から前記ユーザ機器端末へ送信された前記少なくとも１つの第１の電力制御パラメータに基づいて確定される第１の送信電力を制御するステップと、
デバイス・ツー・デバイス・サービスに用いる前記ユーザ機器端末によって用いられる少なくとも１つの信号に適用されることになる第２の送信電力を制御するステップであって、前記第２の送信電力は、（ｉ）デバイス・ツー・デバイス・サービスに用いる前記少なくとも１つの信号のための最大電力と、（ｉｉ）デバイス・ツー・デバイス・サービスに用いる前記少なくとも１つの信号のための周波数帯に基づく送信電力との最小値から確定され、前記最大電力は、前記少なくとも１つの第１の電力制御パラメータに基づいて確定されることを含む第２の送信電力を制御することを含むステップと、
前記少なくとも１つの第１の電力制御パラメータを送信するステップと、
前記少なくとも１つの第２の電力制御パラメータを前記ユーザ機器端末へ送信するステップ
を備える、方法。
【請求項１６】
前記少なくとも１つの第２の電力制御パラメータは、前記少なくとも１つの第１の電力制御パラメータから独立している、請求項１５に記載の方法。
【請求項１７】
前記第２の送信電力は、前記基地局から受信された前記少なくとも１つの第２の電力制御パラメータに加えて、１つ以上のユーザ機器パラメータに基づいて確定される、請求項１５に記載の方法。
【請求項１８】
前記第２の送信電力は、前記基地局から受信された前記少なくとも１つの第２の電力制御パラメータに加えて、１つ以上の運用、管理、および保守パラメータに基づいて確定される、請求項１５に記載の方法。